(57)【特許請求の範囲】
【請求項１】
測定対象物の流体の流れを可視化する流体流れの可視化装置であって、
トレーサとして第１流体をノズル孔から第２流体の流れ場に供給する流体供給ユニットと、
前記第１流体が光吸収する波長を備えるレーザ光が前記流れ場内を横切るように、前記レーザ光を照射し、かつ、前記レーザ光の照射位置が前記流れ場内をスキャンするように制御されるレーザ光供給ユニットと、
前記流れ場内を横切ったレーザ光を受光する受光ユニットと、
受光したレーザ光のスキャン強度信号を用いて、前記流れ場における前記第２流体の流れを可視化する処理ユニットと、を備え、
前記流体供給ユニットは、前記ノズル孔を、前記第２流体を供給する複数のノズル孔とともに配列したノズル列を備え、
前記ノズル列は、前記レーザ光が前記流れ場内を横切る方向と直交するように設けられることを特徴とする流体流れの可視化装置。
【請求項２】
前記処理ユニットは、前記スキャン強度信号を用いて前記第１流体がレーザ光を横切る位置を求め、求めた前記位置に基いて、前記流れ場における前記第２流体の流れを可視化する、請求項１に記載の流体流れの可視化装置。
【請求項３】
前記処理ユニットは、前記スキャン強度信号が設定された閾値より小さくなる時間軸上の位置を求め、この位置に基いて前記第１流体が前記レーザ光を横切る位置を特定する、請求項２に記載の流体流れの可視化装置。
【請求項４】
前記レーザ光供給ユニットは、レーザ光源と、前記レーザ光源から出射したレーザ光を反射するガルバノミラーと、前記ガルバノミラーで反射されたレーザ光が前記流れ場内で一定の方向に向くように、前記レーザ光を反射する放物面ミラーと、を含む、請求項１または２に記載の流体流れの可視化装置。
【請求項５】
前記レーザ光供給ユニットは、レーザ光源と、前記レーザ光源から出射したレーザ光を反射するガルバノミラーと、前記ガルバノミラーで反射されたレーザ光が前記流れ場内で一定の方向に向くように、前記レーザ光を反射する放物面ミラーと、を含む、請求項３に記載の流体流れの可視化装置。
【請求項６】
前記処理ユニットは、前記レーザ光のスキャン強度信号の値が前記閾値より小さくなる時間軸上の位置を求め、この位置に対応する前記ガルバノミラーの向きに基づいて前記レーザ光のスキャン位置を特定する、請求項５に記載の流体流れの可視化装置。
【請求項７】
測定対象物の流体の流れを可視化する流体流れの可視化方法であって、
トレーサとして第１流体を複数のノズル孔から第２流体の流れ場内に供給するステップと、
前記第１流体が光吸収する波長を備えるレーザ光が前記流れ場内を横切るように、前記レーザ光を照射し、かつ、前記ノズル孔の配列方向に対して直交する方向に前記レーザ光が前記流れ場内をスキャンするように制御されるステップと、
前記流れ場内を通過したレーザ光を受光するステップと、
受光したレーザ光のスキャン強度信号を用いて、第２流体の流れを可視化するステップと、を備えることを特徴とする流体流れの可視化方法。
【請求項８】
前記第２流体の流れを可視化するとき、前記スキャン強度信号を用いて前記第１流体がレーザ光を横切る位置を求め、求めた前記位置に基いて、前記第２流体の流れを可視化する、請求項７に記載の流体流れの可視化方法。
【請求項９】
前記第１流体が前記レーザ光を横切る位置は、前記スキャン強度信号の値が設定された閾値より小さくなる時間軸上の位置に基づいて求められる、請求項８に記載の流体流れの可視化方法。
【発明の詳細な説明】
【技術分野】
【０００１】
本発明は、測定対象物の流体の流れを可視化する流体流れの可視化装置および可視化方法に関する。
【背景技術】
【０００２】
従来より、測定対象物周りの流体の流れを可視化することにより、空力抵抗に優れた製品を開発することが行われている。
一般に、流体の流れを可視化する場合は、流体内にトレーサを流し、そのトレーサが流体に沿って分散した状態を画像として捕らえて観測することによって、流体の流れは可視化される。トレーサには、例えば蛍光微粒子、油煙、あるいは水素気泡等が用いられる。
【０００３】
しかし、このようなトレーサを用いる方法は、流体が５０ｍ／秒等の高速流体ではトレーサが一度にばらばらに分散し、この分散した状態を画像として捉えても、流線として捕らえることは難しい。トレーサの量を多量に増やした場合、流体の流れに与える影響が無視できなくなる場合もある、
また、一旦分散した流体を、測定対象物を通過した流体の下流側で回収する必要もある。
【０００４】
一方、小型風洞を横切る細い線に、昇温により発煙する液をつけ、上記細線を通電加熱して生じた煙により、流線を可視化する流線観測方法及びその装置が知られている（特許文献１）。
【０００５】
当該流線観測方法及びその装置では、風洞を横切る細線に、昇温により発煙する液をつけ、上記細線を通電加熱して生じた煙により、流線を可視化するが、上記細線として、細径管に管軸方向のすり割り細隙、又は微小穴群を設けたものを用い、その細径管内に上記発煙用液を流しつつ管を通電加熱する。
上記細径管に、管軸方向のすり割り細隙又は微小穴群を設けて、管内に発煙用液を流すので、この液はすり割り細隙又は微小穴群に均等に浸透し、通電加熱により一様に発煙する。
【先行技術文献】
【特許文献】
【０００６】
【特許文献１】特開平５−２６４３９７号公報
【０００７】
しかし、上記流線観測方法及びその装置においても、流体が５０ｍ／秒等の高速流体での流線の可視化は難しい。
【発明の開示】
【発明が解決しようとする課題】
【０００８】
そこで、本発明は、上記問題点を解決するために、高速流体であっても、確実に流れ場の可視化をすることができる流体流れの可視化装置および可視化方法を提供することを目的とする。
【課題を解決するための手段】
【０００９】
本発明の一態様は、測定対象物の流体の流れを可視化する流体流れの可視化装置である。当該装置は、
トレーサとして第１流体をノズル孔から第２流体の流れ場に供給する流体供給ユニットと、
前記第１流体が光吸収する波長を備えるレーザ光が前記流れ場内を横切るように、前記レーザ光を照射し、かつ、前記レーザ光の照射位置が前記流れ場内をスキャンするように
制御されるレーザ光供給ユニットと、
前記流れ場内を横切ったレーザ光を受光する受光ユニットと、
受光したレーザ光のスキャン強度信号を用いて、前記流れ場における前記第２流体の流れを可視化する処理ユニットと、を備え、
前記流体供給ユニットは、前記ノズル孔を、前記第２流体を供給する複数のノズル孔とともに配列したノズル列を備え、
前記ノズル列は、前記レーザ光が前記流れ場内を横切る方向と直交するように設けられる。
【００１０】
前記処理ユニットは、前記スキャン強度信号を用いて前記第１流体がレーザ光を横切る位置を求め、求めた前記位置に基いて、前記流れ場における前記第２流体の流れを可視化する、ことが好ましい。
前記処理ユニットは、前記スキャン強度信号が設定された閾値より小さくなる時間軸上の位置を求め、この位置に基いて前記第１流体が前記レーザ光を横切る位置を特定することが好ましい。
【００１１】
また、前記レーザ光供給ユニットは、例えば、レーザ光源と、前記レーザ光源から出射したレーザ光を反射するガルバノミラーと、前記ガルバノミラーで反射されたレーザ光が前記流れ場内で一定の方向に向くように、前記レーザ光を反射する放物面ミラーと、を含む。
【００１２】
また、前記処理ユニットは、前記レーザ光のスキャン強度信号の値が前記閾値より小さくなる時間軸上の位置を求め、この位置に対応する前記ガルバノミラーの向きに基づいて前記レーザ光のスキャン位置を特定する、ことが好ましい。
【００１４】
本発明の他の一態様は、測定対象物の流体の流れを可視化する流体流れの可視化方法である。
当該方法は、
トレーサとして第１流体を複数のノズル孔から第２流体の流れ場内に供給するステップと、
前記第１流体が光吸収する波長を備えるレーザ光が前記流れ場内を横切るように、前記レーザ光を照射し、かつ、前記ノズル孔の配列方向に対して直交する方向に前記レーザ光の照射位置が前記流れ場内をスキャンするように制御されるステップと、
前記流れ場内を通過したレーザ光を受光するステップと、
受光したレーザ光のスキャン強度信号を用いて、第２流体の流れを可視化するステップと、を備える。
【００１５】
前記第２流体の流れを可視化するとき、前記スキャン強度信号を用いて前記第１流体がレーザ光を横切る位置を求め、求めた前記位置に基いて、前記第２流体の流れを可視化する、ことが好ましい。
前記第１流体が前記レーザ光を横切る位置は、前記スキャン強度信号の値が設定された閾値より小さくなる時間軸上の位置に基づいて求められる、ことが好ましい。
【発明の効果】
【００１６】
上記流体流れの可視化装置および可視化方法によれば、高速流体であっても、確実に流場の可視化をすることができる。
【図面の簡単な説明】
【００１７】
【図１】本実施形態の流体流れの可視化装置を用いる風洞システムを示す図である。
【図２】本実施形態の流体流れの可視化装置の概略図である。
【図３】二酸化炭素ガスの濃度とレーザ光の強度信号の相対レベルとの関係を示す図である。
【図４】（ａ）は、二酸化炭素ガスの流れをレーザ光が横切るときのスキャン強度信号の実測例であり、（ｂ）は、本実施形態の流体流れの可視化装置で得られるスキャン強度信号の一例を模式的に示す図である。
【発明を実施するための形態】
【００１８】
以下、本発明の流体流れの可視化装置および可視化方法を、本実施形態に基づいて詳細に説明する。本実施形態では、風洞内において二酸化炭素ガスをトレーサとして用いるが、これ以外のガス、例えば水蒸気を用いることもできる。また、本実施形態における流れ場は、風洞内の空気等の気体の流れ場であるが、気体の流れ場に代えて液体の流れ場等を用いることもできる。この場合、トレーサとして用いる流体は、液体が用いられる。
【００１９】
図１は、本実施形態の、測定対象物の流体の流れを可視化する流体流れの可視化装置を用いる風洞システム１０を示す図である。
風洞システム１０は、一定の気体が流れる流体の流れ場内に測定対象物として物体を置き、物体周りの流れを可視化する。
具体的には、風洞システム１０では、空気が一定速度で流れる空気の流れ場１２中に物体１４が置かれる。
【００２０】
図２は、可視化装置の概略の構成を示す図である。可視化装置１０は、流体供給ユニット１６と、レーザ光供給ユニット２０と、受光ユニット２２と、制御処理ユニット２４と、を有する。
流体供給ユニット１６は、トレーサとして二酸化炭素ガスを複数のノズル孔１８から流体の流れ場１２に供給する。図１に示すように、ノズル孔１８を供給点とし、後述するスキャンされるレーザ光Ｌに対して直交する方向で、空気の流れに沿って二酸化炭素ガスは供給される。二酸化炭素ガスの供給速度は、空気の流れる速度と同じになるように調整される。ノズル孔１８は、二酸化炭素ガスの図示されないタンクに接続される。タンクに接続される途中、二酸化炭素ガスが所定の供給速度になるように調整する調整機構が設けられている。したがって、二酸化炭素ガスは、ノズル孔１８を供給点として流れ場１２内に供給されて流れ場１２に沿って流れる。
【００２１】
レーザ光供給ユニット２０は、レーザ光源２３と、ガルバノミラー２５と、放物面ミラー２６と、ガルバノミラードライバ２８と、を有する。
レーザ光源２３は、二酸化炭素を光吸収する波長を備えるレーザ光Ｌを出射する。図２に示すように、量子カスケードレーザ（Quantum Cascade Laser：ＱＣＬ）がレーザ光源２３として用いられる。ＱＣＬは、例えば、４．３μｍの波長のレーザ光Ｌを出射する。この４．３μｍのレーザ光Ｌは、二酸化炭素が光吸収する波長である。
ガルバノミラー２５は、レーザ光源２３から出射したレーザ光Ｌの反射角度を変更しながら放物面ミラー２６に向けるミラーである。ガルバノミラー２５の反射面の向きが、ガルバノミラードライバ２８から送られる制御信号によって制御されてレーザ光Ｌの反射角度が変更される。ガルバノミラー２５のレーザ光Ｌの反射面は、後述するように、レーザ光Ｌが配列されたノズル孔１８の配列方向に対して直交する方向に照射し、かつ流れ場１２内を平面状にスキャンするように、駆動される。
【００２２】
放物面ミラー２６は、ガルバノミラー２５で反射されたレーザ光Ｌを流れ場１２内で一定の方向に向くように向きを変える反射面を有する。放物面ミラー２６に入射するレーザ光Ｌの位置は、ガルバノミラー２５の反射角度の変更により、変更される。放物面ミラー２６は、その焦点がガルバノミラー２５におけるレーザ光Ｌの反射位置と一致するように設けられている。したがって、放物面ミラー２６で反射したレーザ光Ｌは、ガルバノミラー２５の反射角度が変わることによって、流れ場１２内を平行に移動する。したがって、ガルバノミラードライバ２８によってガルバノミラー２５の反射面の向きを制御することによって、流れ場１２内のレーザ光Ｌを、レーザ光Ｌの照射方向を維持しつつ、ノズル孔１８の配列方向にスキャンさせることができる。
【００２３】
ガルバノミラードライバ２８は、後述する制御処理ユニット２４による指示に応じて、制御信号を生成し、ガルバノミラー２５に制御信号を送る。
【００２４】
受光ユニット２２は、放物面ミラー３２と、受光部３４と、を有する。
放物面ミラー３２は、受光部３４の受光面の一点を焦点とし、流れ場１２内を横切ったレーザ光Ｌを受光部３４の受光面の一点に収束させるように設けられている。したがって、流れ場１２をスキャンしたレーザ光Ｌは受光部３４で受光される。
【００２５】
受光部３４は、レーザ光Ｌを受光する。受光部３４は、例えば、レーザ光Ｌが赤外領域の波長を有する場合、受光デバイスは、ＩｎＳｂ（インジウムアンチモン）の材料が用いられる。したがって、受光部３４は、受光したレーザ光Ｌの強度に応じて、スキャン強度信号を出力する。
【００２６】
制御処理ユニット２４は、コンピュータ３６と、Ｄ／Ａコンバータ３８と、Ａ／Ｄコンバータ４０と、を有する。
コンピュータ３６は、ガルバノミラー２５の反射面の向きを制御するようにガルバノミラードライバ２８に指示する他、受光部３４から出力されたスキャン強度信号のデジタル信号を用いて、以降に示す処理を行って、複数のノズル孔１８から供給された二酸化炭素ガスがレーザ光Ｌを横切る空間上の位置を求める。これにより、コンピュータ３６は、流れ場１２における空気の流れを可視化する。
コンピュータ３６の上記指示及び処理は、コンピュータ３６内の図示されないメモリに記憶されたプログラムを呼び出して実行することにより行われる。すなわち、上記指示および処理は、ソフトウェアにより行われる。
【００２７】
Ｄ／Ａコンバータ３８は、コンピュータ３６の指示信号をアナログ信号に変換してガルバノミラードライバ２８に送られる。これにより、ガルバノミラードライバ２８は、ガルバノミラー２５の反射面を制御するための制御信号を作成する。
Ａ／Ｄコンバータ４０は、受光部３４から出力されたスキャン強度信号をデジタル信号に変換する。さらに、Ａ／Ｄコンバータ４０は、レーザ光源２３でレーザ光Ｌの駆動電流をモニタリングのために、さらに、後述する処理のトリガー信号として取り込んでデジタル信号に変換する。
【００２８】
コンピュータ３６は、Ａ／Ｄコンバータ４０から出力されたスキャン強度信号に基いて、二酸化炭素ガスが流れ場１２内で横切る位置を特定する。これによって、ノズル孔１８から供給された二酸化炭素ガスの通過する位置を知ることができる。図３は、二酸化炭素ガスの濃度とＱＣＬの強度信号の相対レベル（二酸化炭素ガスの濃度０．３％のレベルを１．０とする）との関係を示している。図３に示されるように、二酸化炭素濃度が上昇するほど、強度信号の相対レベルは低下することがわかる。したがって、ノズル孔１８から供給された二酸化炭素ガスが流れ場１２に沿って流れ、一部分が拡散することによって流れ場１２に沿った二酸化炭素ガスの濃度が低下することを考慮して、供給された二酸化炭素ガスの濃度に応じて、強度信号の閾値が設定される。コンピュータ３６は、この閾値より小さくなる強度信号の時間軸上の位置を抽出し、抽出した位置に基いて二酸化炭素ガスがレーザ光Ｌを横切る空間上の位置を特定する。
【００２９】
図４（ａ）は、二酸化炭素ガスの流れをレーザ光が横切るときのスキャン強度信号の実測例であり、図４（ｂ）は、レーザ光Ｌをスキャンすることによって得られたスキャン強度信号の一例を模式的に示す図である。なお、図４（ａ）では、横軸はレーザ光がスキャンする空間上の位置を示し、縦軸は二酸化炭素ガスを流さないときの強度信号のレベルを基準とした相対的なスキャン強度信号を示し、酸化炭素ガスの有無による差異が示されている。上記空間上の位置は、ガルバノミラー２５の反射面の向きから変換した値である。
コンピュータ３６はスキャン強度信号から、二酸化炭素ガスの濃度０．３％の強度信号のレベルを基準とする相対的なスキャン強度信号を求め、このスキャン強度信号のレベルと設定された上記閾値とのレベルを比較し、スキャン強度信号の値が設定された閾値より小さくなる時間軸上の位置を抽出する。
図４（ｂ）に示す例では、時間軸上の時間ｔA，tB及びtCの位置が抽出される。この３つの位置は、図１に示すように一列に並んだノズル孔１８のうち、３つのノズル孔１８から供給された二酸化炭素ガスがレーザ光Ｌを横切る空間上の位置に対応する。一般に流れ場内では、流れは分岐しないし合流しないので、スキャンによって得られた時間ｔA，tB及びtCに対応する空間上の位置が、ノズル列の各ノズル孔１８からトレーサとして供給された二酸化炭素ガスの通過する位置となる。
一方、コンピュータ３６は、ガルバノミラー２５の反射面の向きを制御するので、ガルバノミラー２５の反射面の向きに基いて、流れ場１２においてレーザ光Ｌが横切る位置を特定することができる。すなわち、ガルバノミラー２５の反射面の角度とレーザ光Ｌの流れ場１２を横切る位置を関連付けることができる。つまり、コンピュータ３６は、抽出した上記時間ｔA，tB及びtCに対応したガルバノミラー２５の反射面の向きに基いて、レーザ光Ｌの流れ場１２内の照射位置を求めることができる。したがって、コンピュータ３６は、一列に並んだノズル孔１８から供給された二酸化炭素ガスの、レーザ光Ｌを横切る空間上の位置を特定することができる。
このような流れ場１２においてレーザ光Ｌの平面状にスキャンする位置を、流れ場１２の上流側、あるいは下流側の方向に移動させることにより、流れ場１２の流れの可視化、すなわち、流線を求めることができる。本実施形態のレーザ光供給ユニット２０と受光ユニット２２とは、流れ場１２の上流側、あるいは下流側の方向に移動させる機構を備える。
【００３０】
本実施形態では、１つのレーザ光Ｌを用いて流れ場１２の流れの可視化を行うが、複数のレーザ光Ｌを、流れ場１２中の上流側、下流側の種々の位置においてスキャンすることにより得られる複数のスキャン強度信号を用いて流れ場１２の可視化、さらには、流線を求めてもよい。
【００３１】
このような風洞システム１０では、まず、流体供給ユニット１６は、トレーサとして二酸化炭素ガスをノズル孔１８から空気の流れ場１２内に供給する。
次に、レーザ光供給ユニット２０は、二酸化炭素ガスが光吸収する波長を備えるレーザ光Ｌが流れ場１２内を横切るように、レーザ光Ｌを照射する。その際、ガルバノミラー２５の反射面の制御により、レーザ光Ｌの照射位置が流れ場１２内をスキャンするように制御される。
一方、流れ場１２の、レーザ光供給ユニット２０と反対側の位置に設けられた受光ユニット２２は、流れ場１２内をスキャンしたレーザ光Ｌを受光する。
受光したレーザ光Ｌのスキャン強度信号は、Ａ／Ｄコンバータ４０において、デジタル信号とされ、コンピュータ３６に取り込まれる。Ａ／Ｄコンバータ４０に出力されたレーザ光源２３のドライブ電流もデジタル化され、このドライブ電流も、レーザ光Ｌの強度のモニタリングのためにコンピュータ３６に取り込まれる。
【００３２】
図４（ｂ）に示されるように、コンピュータ３６に取り込まれたスキャン強度信号の値が、予め設定された閾値と比較され、スキャン強度信号の値が設定された閾値より小さくなる時間軸上の位置を抽出し、抽出した位置から二酸化炭素ガスがレーザ光Ｌを横切る位置を特定する。このようにレーザ光Ｌが平面状にスキャンする平面の位置を、流れ場１２内の上流側あるいは下流側に変えて、レーザ光Ｌのスキャンをすることにより、流れ場１２内の上流側から下流側における二酸化炭素ガスの流れる位置を求めることができる。したがって、流れ場１２内の流線を得ることができる。
【００３３】
本実施形態では、予め設定された閾値を用いて、二酸化炭素ガスの空間上の位置を特定するが、必ずしも、二酸化炭素ガスの空間上の位置を特定せず、流れ場１２内の上流側から下流側にかけての空間上の各位置における二酸化炭素ガスのスキャン強度信号を得て、この位置に対応するスキャン強度信号の値を、スキャン位置に対応させて空間上に割り当て、さらに、スキャン強度信号の値に応じて色分けすることにより、複数のノズル孔１８から供給され、流れ場１２に沿って流れた二酸化炭素ガスの濃度分布を知ることができる。したがって、この濃度分布を流れ場１２の可視化画像として用いることもできる。
【００３４】
以上のように、本実施形態では、トレーサとしてノズル孔から供給される二酸化炭素ガスを用い、二酸化炭素ガスが光吸収する波長を備えるレーザ光Ｌを、流れ場１２内をスキャンするように照射するので、二酸化炭素ガスがレーザ光Ｌを横切る位置を特定することにより、流れ場１２を可視化することができる。特に、二酸化炭素ガスの光吸収によって低下するレーザ光Ｌの強度を精度高く求めることができるので、高速流体であっても、確実に流れ場１２の可視化をすることができる。しかも、二酸化炭素ガスを用いるので、トレーサとして使用した二酸化炭素ガスは、大気に流すことができるので、従来のように回収する必要がない。
【００３５】
コンピュータ３６において、レーザ光Ｌのスキャン強度信号の値が設定された閾値より小さくなる時間軸上の位置を抽出し、抽出した位置から二酸化炭素ガスがレーザ光Ｌを横切る空間上の位置を特定することにより、二酸化炭素ガスの位置を簡単に抽出することができる。
【００３６】
本実施形態では、レーザ光源２３と、レーザ光源２３から出射したレーザ光Ｌを反射するガルバノミラー２５と、ガルバノミラー２５で反射されたレーザ光Ｌが流れ場１２内で一定の方向に向くように、レーザ光Ｌを反射する放物面ミラーと、を含むレーザ光供給ユニット２０を用いるので、二酸化炭素ガスの空間上の位置を知るために行うレーザ光Ｌのスキャンを簡単に行うことができる。
【００３７】
コンピュータ３６は、レーザ光Ｌのスキャン強度信号の値が閾値より小さくなる時間軸上の位置を求め、この位置に対応するガルバノミラー２５の向きに基づいてレーザ光Ｌのスキャン位置を特定するので、スキャン位置とスキャン強度信号の時間軸上の位置との対応を予め定めておくことにより、比較的簡単に二酸化炭素ガスの空間上の位置を特定することができる。
本実施形態では、一列に並んだ複数のノズル１８のノズル列によって二酸化炭素ガスが供給され、この前記ノズル列は、レーザ光Ｌが前記流れ場内を横切る方向と直交するように設けられるので、レーザ光Ｌのスキャンにより、二酸化炭素がレーザ光Ｌを横切る複数の位置を同時に得ることができ、流れ場１２の流れを可視化するのに効率がよい。
【００３８】
本実施形態では、レーザ光供給ユニット２０において、ガルバノミラー２５および放物面ミラー２６を用いてレーザ光Ｌをスキャンさせるが、ガルバノミラー２５および放物面ミラー２６の代わりに、複数の微小ミラーが平面上に配置されたマイクロミラーデバイスをレーザ光Ｌのスキャン用デバイスとして用いてもよい。
【００３９】
以上、本発明の流体流れの可視化装置および可視化方法について詳細に説明したが、本発明は上記実施形態に限定されず、本発明の主旨を逸脱しない範囲において、種々の改良や変更をしてもよいのはもちろんである。
【符号の説明】
【００４０】
１０  風洞システム
１２  流れ場
１４  物体
１６  流体供給ユニット
１８  ノズル孔
２０  レーザ光供給ユニット
２２  受光ユニット
２３  レーザ光源
２４  制御処理ユニット
２５  ガルバノミラー
２６，３２  放物面ミラー
２８  ガルバノミラードライバ
３４  受光部
３６  コンピュータ
３８  Ｄ／Ａコンバータ
４０  Ａ／Ｄコンバータ
【図１】
0005646957.tif 000002
【図２】
0005646957.tif 000003
【図３】
0005646957.tif 000004
【図４】
0005646957.tif 000005